(57)【特許請求の範囲】
【請求項１】
スピーカが設置される平板状のバッフル板と、
該バッフル板の正面側に配置され、複数の開口部を有するフロントパネルと、を備え、
前記スピーカを内蔵するように前記バッフル板を固定した所定形状の筐体からなるスピーカ装置であって、
前記バッフル板は、該バッフル板の正面側壁面に、スピーカ装置を正面視して前記フロントパネルの前記複数の開口部と重ならない位置且つ前記スピーカの設置領域と異なる領域に、前記正面側壁面から略垂直な方向へ突出する形状で形成された立設部材を備え、
該立設部材の前記正面側壁面と反対側の端部は、少なくとも一部が前記フロントパネルの裏面側壁面に当接している、スピーカ装置。
【請求項２】
請求項１に記載のスピーカ装置であって、
前記立設部材は、前記フロントパネルの裏面側壁面に当接する第１立設部材と、
該第１立設部材よりも低い高さの第２立設部材と、を備えているスピーカ装置。
【請求項３】
前記第１立設部材は、前記第２立設部材によって連結されている、請求項２に記載のスピーカ装置。
【請求項４】
請求項２または請求項３に記載のスピーカ装置であって、
前記複数の開口部は、正面視して略正方形状もしくは略長方形状であり、縦方向および横方向に沿って配列形成され、
前記第１立設部材は、配列された複数の開口部の角に近接して設置され、
前記第２立設部材は、前記配列された複数の開口部の辺に沿って設置されている、スピーカ装置。
【請求項５】
請求項１乃至請求項４のいずれかに記載のスピーカ装置であって、
前記フロントパネルの裏面側壁面に設置され、所定の孔が複数形成された平板状の目隠し部材を備える、スピーカ装置。
【請求項６】
前記バッフル板の裏面側に配置されるリアパネルと、
前記バッフル板の裏面側壁面に、前記裏面側壁面から略垂直な方向へ突出する、前記バッフル板裏面と前記リアパネルとの間の距離に略等しい長さの第３立設部材を備えた、請求項１乃至請求項５のいずれかに記載のスピーカ装置。
【請求項７】
前記フロントパネルと、前記バッフル板の天面側に配置される天面壁と、前記バッフル板の底面側に配置される底面壁と、前記バッフル板の両側面に配置される側面壁と、からなるフロントケースを備え、
該フロントケースは、前記フロントパネル、前記天面壁、前記底面壁、及び前記側面壁が一体成型されてなる、請求項１乃至請求項６のいずれかに記載のスピーカ装置。
【発明の詳細な説明】
【技術分野】
【０００１】
本発明は、フロントパネルを備えるスピーカ装置、特に公共の場に設置されるスピーカ装置に関する。
【背景技術】
【０００２】
従来、体育館や病院等の公共の場に各種のスピーカ装置が設置されている。このような公共の場に設置されるスピーカ装置は、外的な要因により、フロントパネルに衝撃が加わることがある。
【０００３】
このような環境で用いるスピーカ装置として、例えば、特許文献１には、フロントパネルを兼用するバッフル板にウーハやツイータ等の各スピーカ、バスレフポートを設置している。各スピーカやバスレフポートの周縁部は、バッフル板（フロントパネル）から前方へ突出するように形成されている。この突出する部分は、正面視して格子状であり、補強用の骨組みとして機能する。これにより、外部から加わる衝撃（例えば、特許文献１であればボール等がぶつけられることによる衝撃）からスピーカおよびスピーカ装置自体の破損を防いでいる。
【先行技術文献】
【特許文献】
【０００４】
【特許文献１】特開２００９−１２４５９３号公報
【発明の概要】
【発明が解決しようとする課題】
【０００５】
しかしながら、特許文献１に記載のスピーカ装置では、各スピーカを囲むように格子状の骨組みを形成するため、骨組みを設けない場合と比較して各スピーカの正面側の放音指向性が制限されてしまったり、骨組みに反射して正面方向へ放音される音の影響で音質特性や周波数特性が劣化する等の現象が生じて放音特性を劣化させてしまう。また、スピーカの配置に応じて格子の形状を設定しなければならず、スピーカ装置の正面（前面）側のデザインが限られてしまう。
【０００６】
この発明の目的は、正面側からの衝撃に対してスピーカおよびスピーカ装置自体の破損を防止でき、正面方向への放音特性の劣化を抑制し、フロントパネルのデザイン自由度を確保できるスピーカ装置を、実現することにある。
【課題を解決するための手段】
【０００７】
この発明は、スピーカが設置される平板状のバッフル板と、該バッフル板の正面側に配置され、複数の開口部を有するフロントパネルと、を備え、スピーカを内蔵するようにバッフル板を固定した所定形状の筐体からなるスピーカ装置に関する。このスピーカ装置のバッフル板は、該バッフル板の正面側壁面に、スピーカ装置を正面視してフロントパネルの複数の開口部と重ならない位置且つスピーカの設置領域と異なる領域に、正面側壁面から略垂直な方向へ突出する形状で形成された立設部材を備える。立設部材の正面側壁面と反対側の端部は、少なくとも一部がフロントパネルの裏面側壁面に当接している。
【０００８】
この構成では、複数の開口部を有することで比較的強度が高くないフロントパネルを、筐体内部に固定されたバッフル板の立設部材で内側から支持する。これにより、フロントパネルの外部衝撃に対する強度を向上させることができる。また、フロントパネルの開口部に重ならないように立設部材が設置されるので、正面側から立設部材が見えず、デザイン性を損なわない。また、フロントパネルの開口部の形状に応じて立設部材が設置されるので、フロントパネルの開口部のデザインに対する自由度が向上する。また、スピーカの設置領域と異なる領域に立設部材が配置されるため、スピーカの正面側の放音指向性が制限されず、従来技術のように骨組みに反射して正面方向へ放音される音が生じない。したがって、音質特性や周波数特性が劣化することなく、スピーカの放音特性を損なわない。
【０００９】
また、この発明のスピーカ装置では立設部材は、フロントパネルの裏面側壁面に当接する第１立設部材と、該第１立設部材よりも低い高さの第２立設部材と、を備える。
【００１０】
この構成では、立設部材を、フロントパネルに当接する第１立設部材と、フロントパネルに当接しない第２立設部材とで構成し、第１立設部材が、第２立設部材によって連結されている。
【００１１】
この構成では、全ての立設部材がフロントパネルを支持する構成ではなく、一部の立設部材（第１立設部材）でフロントパネルを支持し、他の立設部材（第２立設部材）で一部の立設部材（第１立設部材）の補強を行う。これにより、フロントパネルの支持を実現しながら、立設部材が形成される領域において、フロントパネルと第２立設部材との間に空間を設けることができる。これにより、スピーカの正面側の放音指向性が制限され難く、音質特性や周波数特性の劣化を防止でき、放音特性が向上する。
【００１２】
また、この発明のスピーカ装置では、複数の開口部は、正面視して略正方形状もしくは略長方形状であり、縦方向および横方向に沿って配列形成されている。第１立設部材は、配列された複数の開口部の角に近接して設置されている。第２立設部材は、配列された複数の開口部の辺に沿って設置されている。
【００１３】
この構成では、第１立設部材が開口の角部のみに配置されるので、効果的にフロントパネルを支持しつつ、放音特性を、さらに向上させることができる。
【００１４】
また、この発明のスピーカ装置では、フロントパネルの裏面側壁面に設置され、所定の孔が複数形成された平板状の目隠し部材を備える。
【００１５】
この構成では、目隠し部材、例えばパンチングメタルを配設することで、フロントパネルの裏側の立設部材を、さらに外部から見え難くすることができる。
【発明の効果】
【００１６】
この発明によれば、正面側からの衝撃に対してスピーカおよびスピーカ装置自体の破損を防止できる。さらに、正面側の放音領域へのスピーカの放音特性の劣化を防ぎ、フロントパネルを、より自由にデザインすることができる。
【図面の簡単な説明】
【００１７】
【図１】本発明の実施形態に係るスピーカ装置１０の外観斜視図である。
【図２】本発明の実施形態に係るスピーカ装置１０の分解斜視図である。
【図３】本発明の実施形態に係るフロントケース２０の外観斜視図である。
【図４】本発明の実施形態に係るバッフル板３０の外観斜視図である。
【図５】本発明の実施形態に係るバッフル板３０の正面図である。
【図６】本発明の実施形態に係るバッフル板３０の側面図である。
【図７】本発明の実施形態に係るバッフル板３０の天面図である。
【図８】本発明の実施形態に係るスピーカＳＰを備えたバッフル板３０の外観斜視図である。
【図９】本発明の実施形態に係るリアケース４０の外観斜視図である。
【図１０】本発明の実施形態に係るフロントケース２０とバッフル板３０の組図である。
【発明を実施するための形態】
【００１８】
本発明の実施形態に係るスピーカ装置１０について、図を参照して説明する。図１は本発明の実施形態に係るスピーカ装置１０の外観斜視図である。図２は本発明の実施形態に係るスピーカ装置１０の分解斜視図である。
【００１９】
スピーカ装置１０は、高さ方向に長く、幅方向および奥行き方向に短い直方体形状からなる。スピーカ装置１０の側面の角部は、天面側もしくは底面側から見て曲率半径となるように湾曲面で形成されている。
【００２０】
スピーカ装置１０は、フロントケース２０、バッフル板３０、リアケース４０を備える。フロントケース２０とリアケース４０によりスピーカ装置１０の筐体が形成され、当該筐体内に、スピーカＳＰを備えたバッフル板３０が配設されている。バッフル板３０は、フロントケース２０およびリアケース４０にネジ等の固定部材で固定されている。
【００２１】
（ｉ）フロントケースの構造
図３は本発明の実施形態に係るフロントケース２０の外観斜視図である。フロントケース２０は、正面視して長方形状であり平板状のフロントパネル２１を備える。フロントパネル２１の両側端（短手方向の両端）には、フロントパネル２１の平板面に垂直な方向へ延びる側面壁２３が形成されている。フロントパネル２１と側面壁２３との接続する角部は、上述のように、天面側（底面側）からみて所定の曲率半径となるように、湾曲面で形成されている。
【００２２】
フロントパネル２１の天面側の端部（長手方向の一方端）には、フロントパネル２１の平板面に垂直な方向へ延びる天面壁２２が形成されている。フロントパネル２１の底面側の端部（長手方向の他方端）には、フロントパネル２１の平板面に垂直な方向へ延びる底面壁２４が形成されている。
【００２３】
これらフロントパネル２１、天面壁２２、二個の側面壁２３、および底面壁２４は、樹脂等により一体成形されている。なお、これらを別体成形し、接着剤等で接着してもよい。例えば、天面壁２２、側面壁２３、底面壁２４からなる枠体を形成し、当該枠体の正面側の開口を覆うようにフロントパネル２１を接着してもよい。これにより、スピーカ装置１０としての裏面側が開口する箱状のフロントケース２０が構成される。
【００２４】
フロントパネル２１には、当該フロントパネル２１を形成する平板を貫通する複数の開口部が形成されている。開口部は、正面視して略正方形状の第１開口部を複数有する。各開口部は、正面視して角部が内側に湾曲する形状で形成されている。さらに、開口部は、正面視して略長方形状で第１開口部よりも広い開口面積（例えば約２倍）の第２開口部を複数有する。
【００２５】
第１開口部および第２開口部は、図３に示すように、高さ方向（天面と底面とを結ぶ方向）、および横方向（二側面を結ぶ方向）に配列形成されている。
【００２６】
具体的に、フロントパネル２１を正面視した左側面側の天面側から高さ方向に沿って、第一列として、第２開口部２１１Ｌ、第１開口部２１１Ｓ、第２開口部２１２Ｌ、第１開口部２１２Ｓ、第２開口部２１３Ｌ、第１開口部２１３Ｓがこの順で配設されている。これらの第一列の各開口部は、所定の間隔をおいて配設されている。
【００２７】
フロントパネル２１を正面視して、第一列の右側に所定の間隔で、第一列に対して平行になるように、天面側から高さ方向に沿って、第二列として、第１開口部２２１Ｓ、第２開口部２２１Ｌ、第１開口部２２２Ｓ、第２開口部２２２Ｌ、第１開口部２２３Ｓ、第２開口部２２３Ｌがこの順で配設されている。これらの第二列の各開口部も、第一列と同様に、所定の間隔をおいて配設されている。
【００２８】
フロントパネル２１を正面視して、第二列のさらに右側に所定の間隔で、第二列に対して平行になるように、天面側から高さ方向に沿って、第三列として、第２開口部２３１Ｌ、第１開口部２３１Ｓ、第２開口部２３２Ｌ、第１開口部２３２Ｓ、第２開口部２３３Ｌ、第１開口部２３３Ｓがこの順で配設されている。これらの第三列の各開口部も、第一列、第二列と同様に、所定の間隔をおいて配設されている。
【００２９】
フロントパネル２１を正面視して、第三列の右側に所定の間隔で、第三列に対して平行になるように、天面側から高さ方向に沿って、第四列として、第１開口部２４１Ｓ、第２開口部２４１Ｌ、第１開口部２４２Ｓ、第２開口部２４２Ｌ、第１開口部２４３Ｓ、第２開口部２４３Ｌがこの順で配設されている。これらの第四列の各開口部も、第一列、第二列および第三列と同様に、所定の間隔をおいて配設されている。
【００３０】
天面壁２２には、電源用開口穴２２０が形成されている。この電源用開口穴２２０に電源ボタン５０が設置される。
【００３１】
（ｉｉ）バッフル板３０の構造
図４は本発明の実施形態に係るバッフル板３０の外観斜視図である。図５は本発明の実施形態に係るバッフル板３０の正面図である。図６は本発明の実施形態に係るバッフル板３０の側面図である。図７は本発明の実施形態に係るバッフル板３０の天面図である。図８は本発明の実施形態に係るスピーカＳＰを備えたバッフル板３０の外観斜視図である。
【００３２】
バッフル板３０は、正面視して長方形状であり平板状の主基板３１を備える。主基板３１の長手方向の片端側の領域には、正面３１Ｆから裏面３１Ｒにかけて開口するスピーカ用開口穴３１０が形成されている。このスピーカ用開口穴３１０に図８に示すように、スピーカＳＰが設置される。この際、スピーカＳＰは、放音面が正面側となるように設置される。
【００３３】
主基板３１の裏面３１Ｒ側には、複数の後方立設部材３２が複数設置されている。後方立設部材３２は、裏面３１Ｒから垂直な方向に延びる円柱状で形成されている。後方立設部材３２は、バッフル板３０をフロントケース２０およびリアケース４０にネジ等で固定した時（以下、単に「固定時」と称する。）の主基板３１の裏面３１Ｒとリアパネル４１との距離と略同じ長さで形成されている。
【００３４】
主基板３１の正面３１Ｆには、第１立設部材に相当するボスと、第２立設部材に相当する立設壁と外周壁が複数形成されている。ボス、立設壁、および外周壁は、主基板３１の正面３１Ｆに対して、直交する方向へ延びる形状で形成されている。この際、ボス、立設壁、および外周壁は、主基板３１とともに一体成形されている。
【００３５】
外周壁は、平板状からなる。外周壁の高さすなわち正面３１Ｆに直交する方向の長さは、前記固定時の主基板３１の正面３１Ｆとフロントパネル２１の裏面側壁面２１Ｒとの距離と略同じ長さで形成されている。外周壁は、天面側外周壁３４０Ｕ、底面側外周壁３４０Ｄ、一対の側面外周壁３４０Ｓからなる。天面側外周壁３４０Ｕは、主基板３１の天面側の端部付近に形成されており、幅方向（両側面を結ぶ方向）に沿って延びる形状で形成されている。底面側外周壁３４０Ｄは、主基板３１の底面側（スピーカ用開口穴３１０の形成領域側）の端部付近に形成されており、幅方向（両側面を結ぶ方向）に沿って延びる形状で形成されている。側面外周壁３４０Ｓは、主基板３１の両側面側（短手方向の両端側）の端部付近に形成されており、高さ方向（天面側と底面側とを結ぶ方向）に沿って延びる形状で形成されている。
【００３６】
ボスは円柱形状からなる。ボスの高さすなわち正面３１Ｆに直交する方向の長さは、バッフル板３０をフロントケース２０およびリアケース４０にネジ等で固定した時の主基板３１の正面３１Ｆとフロントパネル２１の裏面側壁面２１Ｒとの距離と略同じである。
【００３７】
立設壁は、平板状からなる。立設壁の高さすなわち正面３１Ｆに直交する方向の長さは、前記固定時の主基板３１の正面３１Ｆとフロントパネル２１の裏面側壁面２１Ｒとの距離よりも短い。例えば、ボスの１／３から１／２程度の長さである。
【００３８】
具体的に、複数のボスおよび立設壁は、次に示すようなパターンで形成されている。
まず、主基板３１を正面視して、左側面側の天面側から高さ方向に沿って、ボス３１１，３１２，３１３，３１４がこの順で配設されている。立設壁３５１は、これらボス３１１，３１２，３１３，３１４を連結するように、主基板３１の高さ方向に沿って延びる形状で形成されている。
【００３９】
これらボス３１１，３１２，３１３，３１４および立設壁３５１は、前記固定時において、スピーカ装置１０を正面視して、上述の複数の開口部による第一列と第二列との間に形成される枠体と重なる位置に形成されている。
【００４０】
ボス３１１は、枠体における第一列の第２開口部２１１Ｌと、第二列の第１開口部２２１Ｓおよび第２開口部２２１Ｌとの角部が集中する位置に設置されている。
【００４１】
ボス３１２は、枠体における第一列の第２開口部２１１Ｌおよび第１開口部２１１Ｓと、第二列の第２開口部２２１Ｌとの角部が集中する位置に設置されている。
【００４２】
ボス３１３は、枠体における第一列の第１開口部２１１Ｓおよび第２開口部２１２Ｌと、第二列の第２開口部２２１Ｌおよび第１開口部２２２Ｓとの角部が集中する位置に設置されている。
【００４３】
ボス３１４は、枠体における第一列の第２開口部２１２Ｌと、第二列の第１開口部２２２Ｓおよび第２開口部２２２Ｌとの角部が集中する位置に設置されている。
【００４４】
主基板３１を正面視して、ボス３１１，３１２，３１３，３１４の列の右側に所定の間隔で、天面側から高さ方向に沿って、ボス３２１，３２２，３２３，３２４がこの順で配設されている。立設壁３５２は、これらボス３２１，３２２，３２３，３２４を連結するように、主基板３１の高さ方向（天面側と底面側とを結ぶ方向）に沿って立設壁３５１に平行に延びる形状で形成されている。
【００４５】
ボス３２１は、枠体における第二列の第１開口部２２１Ｓおよび第２開口部２２１Ｌと、第三列の第２開口部２３１Ｌとの角部が集中する位置に設置されている。
【００４６】
ボス３２２は、枠体における第二列の第２開口部２２１Ｌと、第三列の第２開口部２３１Ｌおよび第１開口部２３１Ｓとの角部が集中する位置に設置されている。
【００４７】
ボス３２３は、枠体における第二列の第２開口部２２１Ｌおよび第１開口部２２２Ｓと、第三列の第１開口部２３１Ｓおよび第２開口部２３２Ｌとの角部が集中する位置に設置されている。
【００４８】
ボス３２４は、枠体における第二列の第１開口部２２２Ｓおよび第２開口部２２２Ｌと、第三列の第２開口部２３２Ｌとの角部が集中する位置に設置されている。
【００４９】
主基板３１を正面視して、ボス３２１，３２２，３２３，３２４の列の右側に所定の間隔で、天面側から高さ方向に沿って、ボス３３１，３３２，３３３，３３４がこの順で配設されている。立設壁３５３は、これらボス３３１，３３２，３３３，３３４を連結するように、主基板３１の高さ方向（天面側と底面側とを結ぶ方向）に沿って立設壁３５１，３５２に平行に延びる形状で形成されている。
【００５０】
ボス３３１は、枠体における第三列の第２開口部２３１Ｌと、第四列の第１開口部２４１Ｓおよび第２開口部２４１Ｌとの角部が集中する位置に設置されている。
【００５１】
ボス３３２は、枠体における第三列の第２開口部２３１Ｌおよび第１開口部２３１Ｓと、第四列の第２開口部２４１Ｌとの角部が集中する位置に設置されている。
【００５２】
ボス３３３は、枠体における第三列の第１開口部２３１Ｓおよび第２開口部２３２Ｌと、第四列の第２開口部２４１Ｌおよび第１開口部２４２Ｓとの角部が集中する位置に設置されている。
【００５３】
ボス３３４は、枠体における第三列の第２開口部２３２Ｌと、第四列の第１開口部２４２Ｓおよび第２開口部２４２Ｌとの角部が集中する位置に設置されている。
【００５４】
立設壁３６１は、ボス３１１とボス３２１を連結するように、主基板３１の幅方向に沿って延びる形状で形成されている。立設壁３６１は、立設壁３５１，３５２，３５３と同じ高さで形成されている。立設壁３６１は、スピーカ装置１０を正面視して、開口部の第二列の第１開口部２２１Ｓと第２開口部２２１Ｌの間に形成される枠体と重なるように配設されている。
【００５５】
立設壁３６２は、ボス３３１と主基板３１を正面視した右端部側の側面外周壁３４０Ｓとを連結するように、主基板３１の幅方向に沿って延びる形状で形成されている。立設壁３６２も、立設壁３５１，３５２，３５３と同じ高さで形成されている。立設壁３６２は、スピーカ装置１０を正面視して、開口部の第四列の第１開口部２４１Ｓと第２開口部２４１Ｌの間に形成される枠体と重なるように配設されている。
【００５６】
立設壁３６３は、ボス３１２と主基板３１を正面視した左端部側の側面外周壁３４０Ｓとを連結するように、主基板３１の幅方向に沿って延びる形状で形成されている。立設壁３６３も、立設壁３５１，３５２，３５３と同じ高さで形成されている。立設壁３６３は、スピーカ装置１０を正面視して、開口部の第一列の第２開口部２１１Ｌと第１開口部２１１Ｓの間に形成される枠体と重なるように配設されている。
【００５７】
立設壁３６４は、ボス３２２とボス３３２を連結するように、主基板３１の幅方向に沿って延びる形状で形成されている。立設壁３６４も、立設壁３５１，３５２，３５３と同じ高さで形成されている。立設壁３６４は、スピーカ装置１０を正面視して、開口部の第三列の第２開口部２３１Ｌと第１開口部２３１Ｓの間に形成される枠体と重なるように配設されている。
【００５８】
立設壁３６５は、ボス３１３とボス３２３とボス３３３を連結するように、主基板３１の幅方向に沿って延びる形状で形成されている。立設壁３６５も、立設壁３５１，３５２，３５３と同じ高さで形成されている。立設壁３６５は、スピーカ装置１０を正面視して、開口部の第一列の第１開口部２１１Ｓと第２開口部２１２Ｌの間に形成される枠体、第二列の第２開口部２２１Ｌと第１開口部２２２Ｓの間に形成される枠体、第三列の第１開口部２３１Ｓと第２開口部２３２Ｌの間に形成される枠体、第四列の第２開口部２４１Ｌと第１開口部２４２Ｓの間に形成される枠体と重なるように配設されている。
【００５９】
立設壁３６６は、ボス３１４とボス３２４を連結するように、主基板３１の幅方向に沿って延びる形状で形成されている。立設壁３６６も、立設壁３５１，３５２，３５３と同じ高さで形成されている。立設壁３６６は、スピーカ装置１０を正面視して、開口部の第二列の第１開口部２２２Ｓと第２開口部２２２Ｌの間に形成される枠体と重なるように配設されている。
【００６０】
立設壁３６７は、ボス３３４に接続するように、主基板３１の幅方向に沿って延びる形状で形成されている。立設壁３６７も、立設壁３５１，３５２，３５３と同じ高さで形成されている。立設壁３６７は、スピーカ装置１０を正面視して、開口部の第四列の第１開口部２４２Ｓと第２開口部２４２Ｌの間に形成される枠体と重なるように配設されている。
【００６１】
（ｉｉｉ）リアケース４０の構造
図９は本発明の実施形態に係るリアケース４０の外観斜視図である。リアケース４０は、正面視して長方形状であり平板状のリアパネル４１を備える。リアパネル４１の両側端（短手方向の両端）は、フロントパネル２１の平板面に垂直な方向へ湾曲して延びる形状からなるリア側面壁４２が形成されている。
【００６２】
（ｉｖ）フロントケース２０（フロントパネル２１）とバッフル板３０との接続構造
図１０は本発明の実施形態に係るフロントケース２０とバッフル板３０の組図である。バッフル板３０は、各ボス３１１−３１４，３２１−３２４，３３１−３３４および天面側外周壁３４０Ｕ、底面側外周壁３４０Ｄ、一対の側面外周壁３４０Ｓの先端がフロントパネル２１の裏面２１Ｒに当接する状態で、フロントケース２０に固定される。なお、図１０には図示していないが、底面側外周壁３４０Ｄもフロントパネル２１の裏面２１Ｒに当接している。
【００６３】
この構造により、フロントパネル２１は、裏面側からボス及び外周壁を備えるバッフル板３０で支持されるので、枠体が細く、フロントパネル２１が薄くても、正面側からの衝撃に対して高い強度を実現することができる。
【００６４】
また、本実施形態の構成では、各ボス３１１−３１４，３２１−３２４，３３１−３３４および外周壁は、立設壁３５１−３５３、３６１−３６７により連結されることで、補強されている。これにより、さらに外部から（特に正面側から）の衝撃に対する強度を高くすることができる。
【００６５】
また、本実施形態の構成では、各ボス３１１−３１４，３２１−３２４，３３１−３３４は、フロントパネル２１に設けられた複数の開口部によって形成される枠体の裏面側に当接し、立設壁３５１−３５３、３６１−３６７もスピーカ装置１０を正面視して枠体に重なるので、スピーカ装置１０を正面から見た際に、これらのボスおよび立設壁がユーザに視認されることを防ぐことができる。これにより、スピーカ装置１０の見栄えの低下を防ぐことができる。
【００６６】
また、本実施形態の構成では、ボス３１１−３１４，３２１−３２４，３３１−３３４および立設壁３５１−３５３、３６１−３６７がスピーカＳＰの設置領域から離間しているため、スピーカＳＰの正面領域には、フロントパネル２１しか存在しない。このため、スピーカＳＰの正面側の放音指向性が制限されず、従来技術のように骨組みに反射して正面方向へ放音される音が生じない。したがって、音質特性や周波数特性が劣化することがなく、スピーカＳＰの放音特性の劣化を防止できる。
【００６７】
また、本実施形態の構造では、ボス３１１−３１４，３２１−３２４，３３１−３３４のみがフロントパネル２１に当接し、立設壁３５１−３５３、３６１−３６７の先端とフロントパネル２１の裏面２１Ｒとの間には空間が形成される。したがって、スピーカＳＰの正面側における空間的に繋がる領域が広がり、より効果的にフロントパネル２１の前面全体から放音することができる。すなわち、より放音特性を向上させることができる。
【００６８】
なお、上述の説明では、フロントパネル２１の開口部に何も設置しない構成を例に示したが、所定の径からなる貫通孔を多数配列形成したパンチングメタル等の目隠し部材を、フロントパネル２１の裏面２１Ｒ側に配設しても良い。これにより、スピーカ装置１０の見栄えの低下を、さらに効果的に防ぐことができる。
【００６９】
また、上述の説明で示したフロントパネル２１の開口部の形成パターンは、一例であり、他の各種の開口デザインを用いてもよい。この場合、開口により形成される枠体と重なるように、ボスや立設壁をバッフル板に形成すればよい。
【００７０】
また、バッフル板３０において、ボス、立設壁、および外周壁を主基板３１に対して別体成形し、接着剤等で接着してもよい。しかしながら、一体成形することで、外部から力が加わった際の応力が接着部に集中することを防止でき、より高強度なバッフル板３０を形成できる。
【符号の説明】
【００７１】
１０：スピーカ装置、
２０：フロントケース、２１：フロントパネル、２２：天面壁、２３：側面壁、２４：底面壁、
２１１Ｓ，２１２Ｓ，２１３Ｓ，２２１Ｓ，２２２Ｓ，２２３Ｓ，２３１Ｓ，２３２Ｓ，２３３Ｓ，２４１Ｓ，２４２Ｓ，２４３Ｓ：第１開口部、２１１Ｌ，２１２Ｌ，２１３Ｌ，２２１Ｌ，２２２Ｌ，２２３Ｌ，２３１Ｌ，２３２Ｌ，２３３Ｌ，２４１Ｌ，２４２Ｌ，２４３Ｌ：第２開口部、２２０：電源用開口穴、
３０：バッフル板、３１：主基板、３１Ｆ：正面、３１Ｒ：裏面、３２：後方立設部材、
３１１，３１２，３１３，３１４，３２１，３２２，３２３，３２４，３３１，３３２，３３３，３３４：ボス、
３４０Ｕ：天面側外周壁、３４０Ｄ：底面側外周壁、３４０Ｓ：側面外周壁、
３５１，３５２，３５３、３６１，３６２，３６３，３６４，３６５，３６６，３６７：立設壁、
４０：リアケース、４１：リアパネル、４２：リア側面壁、
５０：電源ボタン
【図１】
0005652275.tif 000002
【図２】
0005652275.tif 000003
【図３】
0005652275.tif 000004
【図４】
0005652275.tif 000005
【図５】
0005652275.tif 000006
【図６】
0005652275.tif 000007
【図７】
0005652275.tif 000008
【図８】
0005652275.tif 000009
【図９】
0005652275.tif 000010
【図１０】
0005652275.tif 000011